(57)【特許請求の範囲】
【請求項１】
フローセルの流路を流れる測定試料に測定光を照射し、前記測定試料を透過した近赤外分光に基づき前記測定試料の吸光度スペクトルを求めるように構成された試料測定装置において、
前記フローセルには少なくとも２個のＯリングを介して光学窓が取り付けられ、
前記２個のＯリングは、前記測定試料の漏れ経路に沿って直列に設けられ、
直列配置された１次側の前記Ｏリングと２次側の前記Ｏリングとの間には、１次側の前記Ｏリングと２次側の前記Ｏリングとの間に漏れ出た前記測定試料の圧力を前記フローセルの内部から前記フローセルの外部へ逃がすための貫通穴が設けられている
ことを特徴とする試料測定装置。
【請求項２】
１次側の前記Ｏリングは、前記光学窓の平面に設けられている
ことを特徴とする請求項１に記載の試料測定装置。
【請求項３】
前記フローセルは測定試料の流路にねじ接合面が露出しないように構成されていることを特徴とする請求項１または請求項２に記載の試料測定装置。
【請求項４】
前記測定試料は液体であることを特徴とする請求項１から請求項３のいずれか一項に記載の試料測定装置。
【請求項５】
前記測定試料は気体であることを特徴とする請求項１から請求項３のいずれか一項に記載の試料測定装置。
【発明の詳細な説明】
【技術分野】
【０００１】
本発明は、試料測定装置に関し、詳しくは、フローセルにおける試料の漏れ防止構造に関するものである。
【背景技術】
【０００２】
図５は従来の試料測定装置で用いられるフローセルの一例を示す構成説明図であって、（Ａ）は上面図、（Ｂ）は正面図、（Ｃ）は斜視図、（Ｄ）は側面図である。図６は図５のフローセルを用いた測定系の一例を示す構成説明図であって、（Ａ）は上面図、（Ｂ）は側面図、（Ｃ）は（Ｂ）のＡ−Ａ断面図である。図７は、図６（Ｃ）の拡大図である。
【０００３】
図５において、円筒型のフローセル１の円周面には対向するように試料液体配管の接続口１１、１２が設けられるとともに内部に漏れた試料を排出するための抜き穴１３が設けられ、フローセル１の左右の側面には光ファイバの接続口１４、１５が設けられている。
【０００４】
図６において、フローセル１の一方の端面には光ファイバ２を介して測定光が入射され、フローセル１に入射された測定光は他方の端面から光ファイバ３を介して外部に伝送される。なお、フローセル１の両端は左右対称構造になるように構成されているので、出力端側の構造について説明する。
【０００５】
光ファイバ３が接続されたフローセル１の端面には円錐形状に形成された防水・防塵用の保護キャップ４の大径開口部４１が嵌め合わされ、フローセル１と保護キャップ４の大径開口部４１との嵌合部の外周は比較的大きな結束バンド５で締め付け固定される。
【０００６】
保護キャップ４の小径開口部４２には光ファイバ３が貫通するように挿入されていて、光ファイバ３と保護キャップ４の小径開口部４１との嵌合部の外周は比較的小さな結束バンド６で締め付け固定される。
【０００７】
なお、フローセル１の端面に嵌め合わされる保護キャップ４の大径開口部４１の内部空間には乾燥剤が封入されるが、乾燥剤は図示しない。
【０００８】
図７において、フローセル１のボディ１ａはたとえばステンレス鋼で形成されていて、中央部分には上下面を貫通するように測定対象である試料液体を流す流路１ｂが形成されている。流路１ｂの両端の開口部には配管を接続するための管用テーパーめねじ１ｃ、１dが設けられていて、試料液体は流路１ｂの下側から上側に流れる。なお、試料液体の設計耐圧は、最大でたとえば２．０ＭＰａである。
【０００９】
ボディ１ａの右側面には、流路１ｂに対向するようにたとえばステンレス鋼で所定の形状に形成されたボス１ｅが、所望の光路長の長さに応じた所定の厚さを有するたとえばステンレス鋼で形成されたスペーサ１ｆを挟むようにして取り付けられている。ボディ１ａの内周面と接するボス１ｅの外周面にはリング状に溝１ｇが形成されていて、この溝１ｇにはボディ１ａとボス１ｅの接合部から試料液体が漏れるのを防止するために、Ｏリング１ｈが嵌め合わされている。
【００１０】
ボス１ｅの挿入端部には、たとえばステンレス鋼で有底円筒状に形成されたスクリューキャップ１ｉが螺合取り付けられている。スクリューキャップ１ｉの内周面にはボス１ｅの一端の外周に螺合するためのネジ溝が設けられ、底面には硼珪酸クラウンガラスやサファイアガラスで断面形状がＴ字状に形成された光学窓１ｊの一端を嵌め合わせる取り付け穴１ｋが設けられている。
【００１１】
スクリューキャップ１ｉと光学窓１ｊとの間には、Ｏリング１ｍが設けられている。
【００１２】
ボス１ｅの端部とスクリューキャップ１ｉおよび光学窓１ｊとの間には、樹脂または金属よりなるリング１ｎとＯリング１ｐが設けられている。これらＯリング１ｈ、１ｍ、１ｐとしては、たとえばパーフロロエラストマーやフッ素ゴムなどで形成されたものを用いる。
【００１３】
光学窓１ｊの端面と対向するように、光軸方向に沿って、ステンレス鋼で形成されたスクリュー１ｑと波形座金１ｒとステンレス鋼で形成されたリング１ｓと光学レンズ１ｔが積層配置されていて、これらの前方には測定出射光を伝送する光ファイバ３の光コネクタ３１が接続されるレセプタクル１ｕがステンレス鋼で形成されたプレート１ｖを介して取り付けられている。
【００１４】
このような構成において、Ｌ側のレセプタクルにはたとえば近赤外分光分析計の干渉計からの近赤外分光が測定入射光として入射され、入射される近赤外分光の光束は光学レンズで屈折されて平行光となり、光学窓を通過して流通路１ｂを流れる測定試料液体に入射される。
【００１５】
流通路１ｂを流れる試料液体を透過した光束はＲ側の光学窓１ｊを通過し、Ｒ側の光学レンズ１ｔで屈折されて斜光となり、Ｒ側の光ファイバ３の光コネクタ３１の端面に収束して入射される。
【００１６】
Ｒ側の光ファイバ３は、図示しない近赤外分光分析計の検出器に、試料液体透過後の近赤外分光を伝送する。この検出器には、フローセルの試料信号の光ファイバの他、フローセルを通さない参照信号の光ファイバも接続する。
【００１７】
検出器で試料および参照光信号を電気信号に変換した後、ＤＳＰ（デジタル信号処理器）に送り、両信号の差分から吸光度スペクトルを演算する。
【００１８】
得られた吸光度スペクトルと、既存のスペクトルに基づき確立された分析法から求められた分析値との関係より、試料中の各成分濃度や性状値を算出する定量分析を行う。また、必要に応じて、試料の物質を特定する定性分析も行う。
【００１９】
特許文献１には、マイクロ流体システムの流路内における流体の物性を測定する装置について記載されている。
【先行技術文献】
【特許文献】
【００２０】
【特許文献１】特開２０１０−１７５４０７号公報
【発明の開示】
【発明が解決しようとする課題】
【００２１】
しかし、図７の構成によれば、フローセル１の流通路１ｂに内圧がかかった状態で流れている試料液体が、サンプルの種類やＯリングの装着状態などが原因で、Ｏリング１ｍとＯリング１ｐの２ヵ所から同時に並列的に液漏れする場合がある。ここで、他のＯリング１ｈは光学窓１ｊとスクリューキャップ１ｉを弾性力により緩衝保持する目的で使用しており、Ｏリング１ｍとＯリング１ｐのようなシール用途を目的としていない。
【００２２】
液漏れ個所がＯリング１ｐとボス１ｅとの円筒シール面またはＯリング１ｐと光学窓１ｊの円筒シール面の場合には、光学窓面、光学レンズ面、光ファイバ端面などが液体と接触（以下、接液ともいう）したり、揮発性液体の場合には気体と接触（以下、接ガスともいう）することもある。
【００２３】
また、液漏れ個所が、Ｏリング１ｈとボディ１ａとの円筒シール面またはＯリング１ｈとボス１ｅの円筒シール面の場合には、光ファイバ端面および結露防止用穴を通って光学レンズ面や光学窓面などが液体と接触したり、揮発性液体の場合には気体と接触する場合がある。なお、接液または接ガスの原因となる結露やセル外部からの水や塵埃の侵入に対しては、図６の防水・防塵保護キャップ４、結束バンド５、６、乾燥剤などを用いて対策としている。
【００２４】
光ファイバ端面、光学レンズ面および光学窓面に試料が接液または接ガスすると、試料を透過する前後の測定入射光および測定出射光に散乱が生じ、外乱成分が重畳する。
【００２５】
その結果、たとえば、試料液体の水分濃度の管理値が数ｐｐｍ〜数十ｐｐｍのオーダーであるべきところ、分析値が１００ｐｐｍ程度の大きい異常値となって検出される場合がある。
【００２６】
液漏れの要因としては、固有の試料液体として、塩化メチレン、クロロホルム、四塩化炭素などの揮発性有機塩素化合物と微量水分や酸分を含む混合液体で漏れやすいことが最近明らかになった。試料温度は配管接続口入口で３０〜４０℃、内圧は０．２〜０．６ＭＰａの場合である。その他、Ｏリング材質の耐薬品性や表面品質およびサイズ、さらには、ステンレス鋼や光学窓の表面粗さ、幾何公差などとの関係もあるが、後者は他の試料液体では液漏れしていない十分な実績がある。
【００２７】
その他の液漏れの要因としては、フローセルではＯリングのグリース使用を不可（測定上、分析の汚染物質となる）としているため、Ｏリング１ｈ、１ｐの円筒シール面への装着時、装着の仕方によっては摩擦によりＯリング表面を損傷させやすいこと、ねじれや曲りが生じたまま保持されることなどの不安定要素がある。
【００２８】
また、スクリューキャップ１ｉとボス１ｅをねじ接合しているが、この部分も接液する構造であるため、定期的なＯリング交換や窓部の洗浄などの保守時に、このねじ接合部が固有の試料液体によっては腐食して分解不可能になる場合がある。実例では、四塩化炭素と微量水分を含む混合液体の場合、四塩化炭素が常温で乾燥している状態では金属材料はほとんど腐食しないが、水分があると加水分解して塩酸を生じ、鉄やその他の材料が徐々に腐食してねじ接合部が分解不能になることがある。
【００２９】
また、２個のＯリング１ｈと１ｐが常に接液している状態であることから、液漏れが発生した場合にはこれらいずれのＯリングからの液漏れなのか、漏れ個所を特定するのが困難な構造である。
【００３０】
さらに、液漏れが発生して部品交換を行う場合、接液部品が非常に多いので、新品交換に近い部品交換や、調整、検査が必要となり、コスト高になってしまう構造である。
【００３１】
なお、このような試料漏れの問題は、試料が液体の場合に限るものではなく、気体の場合においても同様に発生する。
【００３２】
本発明は、これらの課題を解決するものであり、その目的は、試料漏れ要因となる不安定要素を少なくし、試料漏れが発生した場合の保守性を高めることができ、試料漏れに起因する測定の不安定さを防止できる試料測定装置を実現することにある。
【課題を解決するための手段】
【００３３】
このような課題を達成するために、本発明のうち第一の発明は、
フローセルの流路を流れる測定試料に測定光を照射し、前記測定試料を透過した近赤外分光に基づき前記測定試料の吸光度スペクトルを求めるように構成された試料測定装置において、
前記フローセルには少なくとも２個のＯリングを介して光学窓が取り付けられ、
前記２個のＯリングは、前記測定試料の漏れ経路に沿って直列に設けられ、直列配置された１次側の前記Ｏリングと２次側の前記Ｏリングとの間には、１次側の前記Ｏリングと２次側の前記Ｏリングとの間に漏れ出た前記測定試料の圧力を前記フローセルの内部から前記フローセルの外部へ逃がすための貫通穴が設けられていることを特徴とする。
【００３４】
第二の発明は、第一の試料測定装置において、
１次側の前記Ｏリングは、前記光学窓の平面に設けられていることを特徴とする。
第三の発明は、第一または第二の試料測定装置において、
前記フローセルは測定試料の流路にねじ接合面が露出しないように構成されていることを特徴とする。
【００３５】
第四の発明は、第一から第三のいずれか一つの試料測定装置において、
前記測定試料は液体であることを特徴とする。
【００３６】
第五の発明は、第一から第三のいずれか一つの試料測定装置において、
前記測定試料は気体であることを特徴とする。
【発明の効果】
【００３７】
このような構成により、試料漏れ要因となる不安定要素を少なくでき、試料漏れが発生した場合の保守性を高めることができ、試料漏れに起因する測定の不安定さを防止できる試料測定装置を実現できる。
【図面の簡単な説明】
【００３８】
【図１】本発明に基づく試料測定装置で用いられるフローセルの具体例の外観を示す構成説明図である。
【図２】フローセルを管路に接続した状態における複数の異なる角度の断面図である。
【図３】図２（Ｃ）の拡大図である。
【図４】図２（Ｅ）の拡大図である。
【図５】従来の試料測定装置で用いられるフローセルの一例を示す構成説明図である。
【図６】図５のフローセルを用いた測定系の一例を示す構成説明図である。
【図７】図６（Ｃ）の拡大図である。
【発明を実施するための最良の形態】
【００３９】
以下、本発明の実施の形態について、図面を用いて詳細に説明する。図１は、本発明に基づく試料測定装置で用いられるフローセル７の具体例の外観を示す構成説明図である。外観的に図１と図５と異なる点は、内部に漏れた試料を排出するための抜き穴７３が複数個設けられていることである。
【００４０】
図２は本発明に基づくフローセル７を管路に接続した状態における断面図であり、（Ａ）は外観図、（Ｂ）は断面角度位置の説明図、（Ｃ）から（Ｆ）はそれぞれ（Ｂ）のＡ−Ａ、Ｂ−Ｂ、Ｃ−Ｃ、Ｄ−Ｄに沿った断面図である。
【００４１】
（Ｃ）のＡ−Ａ断面図は本発明に基づくフローセル７の測定試料の流路７ｂの断面を示し、（Ｄ）のＢ−Ｂ断面図はフローセル７のボディ７ａとカバー７ｗのボルトでの締結部分の断面を示し、（Ｅ）のＣ−Ｃ断面図はＬ側の圧力逃がし接続口７ｘの断面を示し、（Ｆ）のＤ−Ｄ断面図はＲ側の圧力逃がし接続口７ｙの断面を示している。
【００４２】
Ｌ側の圧力逃がし接続口７ｘは、（Ｅ）のＣ−Ｃ断面図に示すようにその端部がボディ７ａのＬ側の光学窓との接合部に連通するように設けられている。
【００４３】
Ｒ側の圧力逃がし接続口７ｙは、（Ｆ）のＤ−Ｄ断面図に示すようにその端部がボディ７ａのＲ側の光学窓との接合部に連通するように設けられている。
【００４４】
図３は、図２（Ｃ）の拡大図である。図３において、フローセル７のボディ７ａはたとえばステンレス鋼で形成されていて、中央部分には上下面を貫通するように測定対象である試料液体を流す流路７ｂが形成されている。流路７ｂの両端の開口部には配管を接続するための管用テーパーめねじ７ｃ、７dが設けられていて、試料液体は流路７の下側から上側に流れる。なお、試料液体の設計耐圧は、図７に示した従来と同様に最大でたとえば２．０ＭＰａである。
【００４５】
ボディ７ａの右側面には、Ｏリング７ｅを挟むようにして硼珪酸クラウンガラスやサファイアガラスで形成された光学窓７ｆが取り付けられている。光学窓７ｆの側面外周にはＯリング７gが取り付けられている。そして、このＯリング７ｇを押圧するように樹脂または金属で形成されたリング体７ｈが重ね合わされた状態で、ステンレス鋼で所定の形状に形成されたカバー７ｉが取り付けられる。
【００４６】
カバー７ｉには、光学窓７ｆの端面と対向するように、光軸方向に沿って、ステンレス鋼で形成されたスクリュー７ｊと波形座金７ｋとステンレス鋼で形成されたリング７ｍと光学レンズ７ｎが積層配置されていて、これらの前方には測定出射光を伝送する光ファイバ３の光コネクタ３１が接続されるレセプタクル７ｐがステンレス鋼で形成されたプレート７ｑを介して取り付けられている。
【００４７】
図３の構成と図７の構成を比較すると、図３で用いるＯリング７ｅと７ｇは試料が漏れた場合の流れ方向に沿って直列になるように配置されるとともに、Ｏリング７ｅと７ｇがそれぞれ平面接合されるように従来のようなＯリングを嵌め合わせるための溝を設けることなく平坦面上に配置されている。
【００４８】
このような構成において、フローセルのボディ７ａの上下の管用テーパーめねじ７ｃ、7ｄに、ユーザー側の測定対象である試料液体を流す配管を接続し、試料液体を流通路の下側から上側に流す。試料液体の圧力は、耐圧強度設計上は従来と同様に最大でたとえば約２．０ＭＰａである。
【００４９】
なお、最高使用圧力の決定は、フローセルの圧力容器としての耐圧試験と漏れ試験に関連する。これらの圧力試験では、圧力媒体に気体を使用する。理由は、液体を使用すると、Ｏリングシール面などで残留液体の除去が困難であり、微量水分などの分析値や漏れ試験時の試験圧力に影響するためである。
【００５０】
圧力媒体に気体を使用し、最高使用圧力を０．７５ＭＰａに設定した場合は、耐圧試験圧力を１．２５倍の０．９３７５ＭＰａ、漏れ試験を１．０倍の０．７５ＭＰａで、いずれも１．０ＭＰａ未満に抑えることができる。
【００５１】
従来と同様に、Ｌ側のレセプタクルにはたとえば近赤外分光分析計の干渉計からの近赤外分光が測定入射光として入射され、入射される近赤外分光の光束は光学レンズで屈折されて平行光となり、光学窓を通過して流通路７ｂを流れる測定試料液体に入射される。
【００５２】
流通路７ｂを流れる試料液体を透過した光束はＲ側の光学窓７ｆを通過し、Ｒ側の光学レンズ７ｎで屈折されて斜光となり、Ｒ側の光ファイバ３の光コネクタ３１の端面に収束して入射される。
【００５３】
Ｒ側の光ファイバ３は、図示しない近赤外分光分析計の検出器に、試料液体透過後の近赤外分光を伝送する。この検出器には、フローセルの試料信号の光ファイバの他、フローセルを通さない参照信号の光ファイバも接続する。
【００５４】
検出器で試料および参照光信号を電気信号に変換した後、ＤＳＰ（デジタル信号処理器）に送り、両信号の差分から吸光度スペクトルを演算する。
【００５５】
得られた吸光度スペクトルと、既存のスペクトルに基づき確立された分析法から求められた分析値との関係より、試料中の各成分濃度や性状値を算出する定量分析を行う。また、必要に応じて、試料の物質を特定する定性分析も行う。
【００５６】
図４は図２（Ｅ）の拡大図であり、Ｌ側の圧力逃がし接続口の断面を示している。
【００５７】
本発明の構成では、Ｏリングを常時接液している１次側７ｅと常時は非接液で１次側で漏れたら接液する２次側７ｇの２種類に分け、漏れの経路を、従来の２経路並列から1経路直列とした。常時接液している部品も従来構造に比べて大幅に少なくした。
【００５８】
具体的には、図７の従来構造では、金属部品はボディが１個、スクリューが２個、ボスが２個、樹脂部品はリング２個、Ｏリングが３種類で各２個ずつ、光学窓が２個で、計１５個であったが、図３の本発明に基づくフローセル７では、ボディ１個とＯリング２個と光学窓２個のみの計３種類５個に削減できた。
【００５９】
光ファイバ端面、光学窓面、光学レンズ面は、２次側Ｏリングから漏れた場合にのみ接液または接ガスする配置とした。これらにより、漏れ箇所の特定を容易に行える。
【００６０】
１次側と２次側のＯリング間に、1次側で漏れた場合に使う圧力逃し用と液漏れ検出用の配管接続用めねじと貫通小穴を設け、Ｌ側とＲ側の配管用接続めねじは同一断面上だと加工が干渉するため、４５度角度をずらして加工した。
【００６１】
これらにより、２次側のＯリングには液漏れ時は試料の内圧が一瞬しか作用せず、２次側のＯリングからの液漏れのリスクを大幅に低減できる。
【００６２】
また、この圧力逃し配管接続口と貫通小穴に、試料液体に溶解性のある線状の樹脂材を挿入すれば、溶解の有無という判断基準で、液漏れを検出できる。
【００６３】
多量の液漏れの場合には、圧力逃し用配管用接続口に透明の樹脂チューブを接続すれば、漏れた液体の可視化もでき、樹脂チューブの先に試料の種類に応じた液体またはガス濃度検知器（揮発性液体の場合）を接続すれば、漏れを検出できる。
【００６４】
さらに、貫通小穴を大きめにすれば、径の細いファイバー・スコープを貫通小穴に挿入し、常時液漏れの視覚的監視も可能となる。
【００６５】
従来の構造では装着性に不安定さがあった円筒面シールを、１次側のＯリングでは平面シール構造に変更した。特に、光学窓の円筒面の表面粗さが加工時の最大粗さでたとえば６．３Ｓであったのに対し、光学窓の平面の面加工精度をほぼ１/１０にすることができ、Ｏリングと光学窓間の液漏れに対するシール性能を確実に向上させることができる。
【００６６】
従来の構造では、接液部にねじ接合面があったが、本発明では接液部にねじ接合面を持たない構造とした。これにより、ねじ接合面が腐食で分解不可能になる恐れはなく、また、保守費用が新品交換に近くになることもない。
【００６７】
従来の構造で設けていたスペーサを削除した。この結果、光路長の仕様に一部制約はあるものの、これにより部品点数を削減でき、光路長が決まる機械加工部品の累積公差を従来構造の１/３に低減できた。
【００６８】
金属の接液部品がボディだけであるため、試料液体がステンレス鋼を腐食させる場合は、このボディのみをハステロイC-276、チタン、タンタルなどの異種金属に置き替えが可能であり、コストミニマムにできる。
【００６９】
２次側のＯリングは、一時的な接液だけを考慮すれば、１次側のＯリングに必要な耐薬品性は不要と考えられるので、１次側のＯリングよりも安価なＯリングを選定することができ、保守費用削減が図れる。
【００７０】
なお、圧力逃し部に達するようにエアパージの流通路および接続ねじ部を加工し、計装エアを流通させることにより、自然対流ではなく強制対流で、漏れた液体を外部に積極的に排出することが可能となる。
【００７１】
また、Ｌ側とＲ側の圧力逃し部の空間を何らかの流通路で連結することにより、エアパージ配管接続口を１箇所のみに集約できる。
【００７２】
以下に本発明を要約する。
従来構造のフローセルでは、試料液体の漏れの経路が２経路並列のＯリングシールであり、どちらのＯリングから漏れても分析値の異状要因（透過光経路部品面への接液または接ガス）となり得た。本発明のフローセルは、１経路直列のＯリングシール構造で、1次側のＯリング（通常測定時は常時接液または接ガス）と２次側のＯリング（通常測定時は非接液で、１次側Ｏリングから漏れたら接液または接ガス）の二重化とし、分析値の異状要因となる透過光経路部品の配置は２次側のＯリングの後方に配置した。
【００７３】
これにより、漏れ経路の低減、Ｏリングシールの二重化による分析値への漏れへの影響回避、漏れ箇所の特定容易化の構造を実現できる。
【００７４】
分析上、汚染物質となるグリースを塗付しないでＯリングを装着する必要があるため、従来構造では、円筒面装着時にＯリング表面の損傷やねじりなどの装着姿勢といった不安定要素があった。本発明のフローセルは、１次側のＯリングを平面シール装着に変更することで、装着による不安定要素を一掃した。また、光学窓の面精度の高い平面側をシール面とすることにより、漏れにくい構造を実現した。
【００７５】
1次側Ｏリングと２次側Ｏリング、光学窓、ボディとの空間に通ずるボディ側から加工した圧力逃しを兼ねた漏れ検出用の配管接続口および貫通小穴により、１次側Ｏリングからの液漏れが発生した場合でも、２次側Ｏリングへの試料液体の過大圧の継続作用を回避できる。
【００７６】
よって、２次側Ｏリングからの漏れのリスクを大幅に軽減できる。さらに、貫通小穴および配管接続口を使って、溶解樹脂線材の挿入による液漏れ検知、ファイバスコープの挿入による液漏れ可視化、透明樹脂チューブ接続による液漏れ可視化および液またはガス濃度計への接続による液漏れの検出が可能となる。
【００７７】
１次側Ｏリングと２次側Ｏリングと光学窓およびボディの空間に、エアパージ用の計装空気を連続的・積極的に流すことにより、微小漏れで発生した気化ガスを連続的に置換できるので、セル内部にガスが滞留することはなく、光学測定部品面に光散乱となる要因を排除できる。
【００７８】
２次側のＯリングは常時またはほとんど接液しないので、２次側のＯリングの耐薬品性のグレードを下げることができ、消耗品の定期交換に発生する保守費用を抑えることができる。
【００７９】
従来構造では接液部に接合ねじ部を有する部品があったが、本発明の構造では接液部に接合ねじ部を持つ部品がないので、腐食性の強い測定対象液体によるねじ部のカジリが無くなり、接合ねじ部の部品交換にかかる保守費用を抑えることができる。
【００８０】
本発明の構造では、接液する金属材料の部品が、フローセル胴体の一部品だけになったので、測定対象液体に応じてステンレス鋼からハステロイＣなど、耐食性材料への変更が比較的安価に実現でき、接液部品の交換にかかる総費用も大幅に抑えることができる。
【００８１】
以上説明したように、本発明によれば、試料漏れ要因となる不安定要素を少なくでき、試料漏れが発生した場合の保守性を高めることができ、試料漏れに起因する測定の不安定さを防止できる試料測定装置を実現できる。
【符号の説明】
【００８２】
７  フローセル
７ａ  ボディ
７ｗ  カバー
７ｘ、７ｙ  圧力逃がし接続口
７ｃ、７d  管用テーパーめねじ
７ｅ、７g  Ｏリング
７ｆ  光学窓
７ｈ  リング体
７ｉ  カバー
７ｊ  スクリュー
７ｋ  波形座金
７ｍ  リング
７ｎ  光学レンズ
７ｐ  レセプタクル
７ｑ  プレート
【図１】
0006443619.tif 000002
【図２】
0006443619.tif 000003
【図３】
0006443619.tif 000004
【図４】
0006443619.tif 000005
【図５】
0006443619.tif 000006
【図６】
0006443619.tif 000007
【図７】
0006443619.tif 000008